(57)【要約】【課題】少ない台数で室内の空気を効率よく攪拌することのできる室内用攪拌送風装置を提供することを目的とする。【解決手段】本発明の室内用攪拌送風装置は、天井に取り付けられ、屋内の空気の撹拌のための送風を行う室内用攪拌送風装置であって、垂直下方に延びる回転軸を備えたモーター、このモーターの回転軸によって回転駆動され、水平方向に送風する水車型ファン、およびこの水車型ファンの周りに配置された環状のファンケーシングを備え、このファンケーシングは、その下部中央に空気吸い込み口を、また、その周囲に、前記水車型ファンからの送風を室内空気の撹拌のための送風用として周囲斜め下方に吹き出す、斜め下方に延びる数本のボリュート空気通路を備えていることを特徴とする。【選択図】図１
2007127050.tif 000002
【特許請求の範囲】
【請求項１】
天井に取り付けられ、屋内の空気の撹拌のための送風を行う室内用攪拌送風装置であって、垂直下方に延びる回転軸を備えたモーター、このモーターの回転軸によって回転駆動され、水平方向に送風する水車型ファン、およびこの水車型ファンの周りに配置された環状のファンケーシングを備え、このファンケーシングは、その下部中央に空気吸い込み口を、また、その周囲に、前記水車型ファンからの送風を室内空気の撹拌のための送風用として周囲斜め下方に吹き出す、斜め下方に延びる数本のボリュート空気通路を備えていることを特徴とする室内用攪拌送風装置。
【請求項２】
前記水車型ファンがシロッコファンである請求項１の室内用攪拌送風装置。
【請求項３】
前記ボリュート空気通路の天井に対する傾斜角度が１０〜４５度である請求項１または２の室内用攪拌送風装置。
【請求項４】
前記ボリュート空気通路は、その高さが空気吹き出し口に向かって徐々に小さくされているが、その幅が空気吹き出し口に向かって徐々に大きくされて、その断面積が空気吹き出し口に向かって徐々に拡大されている請求項１〜３のいずれかの室内用攪拌送風装置。
【請求項５】
前記ボリュート空気通路の空気吹き出し口を含む下方部分のみが室内に突出した状態で天井に埋め込まれて設置される請求項１〜４のいずれかに記載の室内用攪拌送風装置。
【発明の詳細な説明】
【技術分野】
【０００１】
本発明は、室内用攪拌送風装置に関する。
【背景技術】
【０００２】
建築基準法の改正により、新築住宅等に２４時間換気システムの設置が義務付けられたが、換気の概念が換気風量を基準としているため、実際には室内の空気が吸気口から排気口まで直線的に流れ、部屋全体の空気を入れ替える手段が取られておらず、空気が停滞するスペースが生じる。
また、別荘など人の不在期間がある住宅や居室においては、空気流動が少なく、カビや結露の発生が起こりやすい環境となる。
空気の流動が少ないと天井近くへの熱の停滞により、冷暖房効率の低下が危惧され、また煙草臭が天井面近くに滞ったり、天井面に汚れが付着する。
【０００３】
天井から吊るす送風装置としてはシーリングファンなどがあるが、真下方向への送風となるため、強力な送風は人に不快感を与えてしまう。また、プロペラ方式による送風のため、天井面すれすれに設置することができず、天井高さのない室内には設置が困難であるし、人に威圧感を与えてしまう。
既存の天井埋込形サーキュレータに関しても同様で、送風は下方向に直線的になされ、人に風が当たる構造である。また、このような直下型サーキュレータは上下の空気流動のみを念頭に考案されており、それ故ある程度の居室全体をカバーしようとすると、複数台の設置が必要となる。
【発明の開示】
【発明が解決しようとする課題】
【０００４】
そこで、本発明は、少ない台数で室内の空気を効率よく攪拌することのできる室内用攪拌送風装置を提供することを目的とする。
【課題を解決するための手段】
【０００５】
本発明の上記の課題は、本発明の下記構成（１）〜（５）の室内用攪拌送風装置により達成される。
（１）  天井に取り付けられ、屋内の空気の撹拌のための送風を行う室内用攪拌送風装置であって、垂直下方に延びる回転軸を備えたモーター、このモーターの回転軸によって回転駆動され、水平方向に送風する水車型ファン、およびこの水車型ファンの周りに配置された環状のファンケーシングを備え、このファンケーシングは、その下部中央に空気吸い込み口を、また、その周囲に、前記水車型ファンからの送風を室内空気の撹拌のための送風用として周囲斜め下方に吹き出す、斜め下方に延びる数本のボリュート空気通路を備えていることを特徴とする室内用攪拌送風装置。
（２）  前記水車型ファンがシロッコファンである上記（１）の室内用撹拌送風装置。
（３）  前記ボリュート空気通路の天井に対する傾斜角度が１０〜４５度である上記（１）または（２）の室内用攪拌送風装置。
（４）  前記ボリュート空気通路は、その高さが空気吹き出し口に向かって徐々に小さくされているが、その幅が空気吹き出し口に向かって徐々に大きくされて、その断面積が空気吹き出し口に向かって徐々に拡大されている上記（１）〜（３）のいずれかの室内用攪拌送風装置。
（５）  前記ボリュート空気通路の空気吹き出し口を含む下方部分のみが室内に突出した状態で天井に埋め込まれて設置される上記（１）〜（４）のいずれかの室内用攪拌送風装置。
【発明の効果】
【０００６】
上記構成の本発明の室内用攪拌送風装置においては、１個の水車型ファンが送風する風を、ファンケーシングに設けられた斜め下方に延びる数個のボリュート空気通路により、周囲数方向に斜め下方に吹き出すことにより、室内に旋回流を生成することができるので、少ない設置台数で室内全体の空気を流動・攪拌することができる。また、本発明の室内用攪拌送風装置においては、下方向に直線的に送風されないので、人に不快感を与えるようなことがない。更には、ボリュート空気通路の吹き出し口近傍の部分のみを室内に突出させれば、天井に埋め込み型として設置できるので、天井高さのあまりない室内にも設置が可能である。
【発明を実施するための最良の形態】
【０００７】
以下、添付の図面を参照しつつ、本発明の室内用攪拌送風装置の実施の形態について説明する。図１は、本発明の一実施形態の室内用攪拌送風装置の模式垂直断面図である。
【０００８】
図１に示された室内用攪拌送風装置１０は、その中央部にシロッコファン、ラジアルファンまたはターボファンである１個の水車型ファン１２を備えている。このファン１２は、その周囲部にファン羽根（図示せず）を有し、その上方に設けられたモーター１４の下方に延びる駆動軸１６に固定され、該駆動軸１６によって回転駆動される。室内用攪拌送風装置１０は、その外部には安全性の確保、外観意匠上の観点から外装カバー（図示せず）が設けられていることが望ましい。
【０００９】
また、上記ファン１２の周りには、ほぼ環状のファンケーシング１８が配置されている。このファンケーシング１８の下部中央には、ファン１２に空気を良好に導入するためのベルマウス（図示せず）を備えた空気吸い込み口すなわち空気吸い込み部２０が設けられている。このベルマウス自体の形状等は従来のものと同じであってよいので、これ以上の説明は省略する。
【００１０】
上記ファンケーシング１８は、図１および図２に示したように、数本、好ましくは２〜６本の斜め下方に延びるボリュート空気通路２４を備えている。なお、ボリュート空気通路の設置本数は、ファンケーシング１８の直径が大きい場合には、７本以上であってもよい。数本のボリュート空気通路２４は、ケーシング部分の周方向に角度的にほぼ等間隔をおいて配置されており、上記ファン羽根に対する形状が、風量・風速が大きくなるように、流体力学に基づいたボリュート曲線に形成されている。
各ボリュート空気通路２４は、外周側部に設けられた空気吹き出し口２８へと続いている。
【００１１】
上記ボリュート空気通路２４は、その高さが空気吹き出し口２８に向かって徐々に高さが小さくなっていることが好ましい。すなわち、図１においてａ＞ａ’とすることが好ましい。装置全体の高さを低く抑えることができるとともに、図１から分かるように、上記空気吹き出し口２８を含む下方部分のみを室内に突出させる天井Ｆ埋め込み型として設置した場合、室内に突出する部分の高さを低く抑えることができる。しかしながら、このようにボリュート空気通路２４の高さを空気吹き出し口２８に向かって徐々に小さくすると、流路の面積が上下に狭くなることで、風速は上昇するが、風量が減少してしまうため、本ボリュート空気通路２４では、その幅を空気吹き出し口２８に向かって徐々に大きくすることにより、流路の面積（ボリュート空気通路２４の断面積）を空気吹き出し口２８に向かって徐々に大きくする。すなわち、図２において、ｂ＞ｂ’とすることが好ましい。幅を徐々に大きくする仕方は、通常のボリュート空気通路（図２に符号Ｂで示した）より大きくすることとなる。これにより、流路の面積を次第に拡大し通常のボリュート曲線と同様に風の損失を防ぐことが可能となる。
同時に、空気吹き出し口２８の幅が大きくなるので、一つの空気吹き出し口２８からの送風が周囲方向の角度の広い送風となり、周囲において風の当たらない死角が減少する。
【００１２】
ボリュート空気通路２４からの斜め下方向に吹出す風の角度、すなわちボリュート空気通路２４の天井に対する傾斜角度ｃは、１０〜４５度であることが好ましい。上記傾斜角度ｃが４５度を超えると、ファンケーシング内での風の損失が大きくなるとともに、空気吹き出し口２８から吹き出した風が下部の空気吸い込み口に近づくため、一般にショートサーキットと呼ばれる、送風装置を中心とした狭い範囲での空気回転が生じ、室内全体の空気を撹拌するためには効率的でない。一方、傾斜角度ｃを１０度未満とした場合には、居室の広さにもよるが角度が浅いため、風が壁面に垂直にぶつかり、そこでも損失が生じる。回転運動が生じても、一般的な高さの室内・居室では、最下部に滞る冷気をかき混ぜることは困難である。
【００１３】
具体的には、８畳程度の居室とし、通常の居室の天井高さを約２．４Ｍ以上と想定した場合、空気吹き出し口２８付近の風が人の頭部に直接当たることのないようにし、その上、壁面まで到達した風（空気）が壁に沿って下方向へと流れるようにするには、上記傾斜角度ｃは３５度前後とすることが好ましい。
【００１４】
以上のような構成の本発明の室内用攪拌送風装置１０による室内Ｌにおける空気の攪拌・送風の状態を図３に示した。この図から分かるように、本発明の室内用攪拌送風装置によれば、室内Ｌに空気の旋回流Ｒを生じ、効率のよい室内空気の撹拌を行うことができる。
【図面の簡単な説明】
【００１５】
【図１】本発明の実施形態による室内用攪拌送風装置の模式垂直断面図である。
【図２】図１に示した室内用攪拌送風装置の線Ａ−Ａに沿う断面図である。
【図３】本発明の室内用攪拌送風装置による室内における空気の攪拌・送風の状態を示した概念図である。
【符号の説明】
【００１６】
Ｂ  通常のボリュート空気通路
Ｆ  天井
Ｒ  旋回流
１０  室内用攪拌送風装置
１２  水車型ファン
１４  モーター
１６  駆動軸
１８  ファンケーシング
２０  空気吸い込み部
２４  ボリュート空気通路
２８  空気吹き出し口
【図１】
2007127050.tif 000003
【図２】
2007127050.tif 000004
【図３】
2007127050.tif 000005